(57)【特許請求の範囲】
【請求項１】
未定着画像が形成された記録材を挟持搬送する定着ニップ部に圧力を掛ける圧力付与部と、前記圧力付与部に作用して前記定着ニップ部に掛る圧力を解除する圧力解除カムとを有し、画像形成装置の本体に対して着脱可能な定着ユニットと、
前記定着ユニットの前記圧力解除カムと係合し、前記圧力解除カムに駆動力を伝達するカップリング部を有する画像形成装置の本体と、
を有し、前記画像形成装置の本体に装着された状態の前記定着ユニットの前記圧力解除カムを前記カップリング部を介して回動させることにより、前記定着ニップ部を加圧状態と圧力解除状態に切換えられる画像形成装置において、
前記加圧状態となる前記圧力解除カムの位相と前記圧力解除状態となる前記圧力解除カムの位相の差が１８０°に設定されており、前記定着ニップ部が前記加圧状態の場合と前記圧力解除状態の場合のどちらでも前記定着ユニットを前記画像形成装置の本体に装着できる構成となっていることを特徴とする画像形成装置。
【請求項２】
前記定着ユニットには、前記カップリング部と係合する係合部が設けられており、前記係合部は前記カップリング部が入る二つの入口を有し、二つの入口の位相差は１８０°に設定されていることを特徴とする請求項１に記載の画像形成装置。
【請求項３】
前記定着ユニットには、前記圧力解除カムの位相を検知するための被検知部が設けられており、前記圧力解除カムが設けられた軸の前記係合部が設けられた端部とは反対側の端部に前記被検知部が設けられていることを特徴とする請求項２に記載の画像形成装置。
【請求項４】
画像形成装置の本体と、
定着ニップ部で記録材を挟持搬送しつつ記録材上の未定着画像を記録材に定着する定着ユニットであって、前記定着ニップ部に掛かる圧力を切換えるためのカムと、前記カムに駆動力を伝えるための第１係合部と、を有し、前記本体に対して着脱可能な定着ユニットと、
前記定着ユニットが前記本体に装着されている状態で前記第１係合部と係合する、前記本体に設けられている第２係合部と、
を有し、前記第１係合部と前記第２係合部を介して前記カムを回動させることにより、前記定着ニップ部を加圧状態と圧力解除状態に切換え可能である画像形成装置において、
前記加圧状態となる前記カムの位相と前記圧力解除状態となる前記カムの位相の差が１８０°であり、
前記定着ニップ部が前記加圧状態の場合と前記圧力解除状態の場合のどちらの場合でも、前記定着ユニットを前記本体に装着すると、前記第１係合部と前記第２係合部が係合することを特徴とする画像形成装置。
【請求項５】
前記第１係合部は前記第２係合部が入る二つの入口を有し、二つの入口の位相の差は１８０°であることを特徴とする請求項４に記載の画像形成装置。
【請求項６】
前記定着ユニットには、前記カムの位相を検知するための被検知部が設けられており、前記カムが設けられた軸の前記第１係合部が設けられた端部とは反対側の端部に前記被検知部が設けられていることを特徴とする請求項５に記載の画像形成装置。
【請求項７】
前記第１係合部は前記カムに設けられていることを特徴とする請求項４〜６いずれか一項に記載の画像形成装置。
【請求項８】
前記第１係合部は、前記カムの回転中心に対して点対称な形状である２つの突起部を有することを特徴とする請求項４〜７いずれか一項に記載の画像形成装置。
【請求項９】
前記第２係合部は、前記第２係合部の回転中心に対して点対称な形状であることを特徴とする請求項４〜８いずれか一項に記載の画像形成装置。
【請求項１０】
画像形成装置の本体と、
定着ニップ部で記録材を挟持搬送しつつ記録材上の未定着画像を記録材に定着する定着ユニットであって、前記定着ニップ部に掛かる圧力を切換えるためのカムと、前記カムに駆動力を伝えるための第１係合部と、を有し、前記本体に対して着脱可能な定着ユニットと、
前記定着ユニットが前記本体に装着されている状態で前記第１係合部と係合する、前記本体に設けられている第２係合部と、
を有し、前記第１係合部と前記第２係合部を介して前記カムを回動させることにより、前記定着ニップ部を加圧状態と圧力解除状態に切換え可能である画像形成装置において、
前記第１係合部は前記第２係合部が入る二つの入口を有し、二つの入口の位相の差の大きさと、前記加圧状態となる前記カムの位相と前記圧力解除状態となる前記カムの位相の差の大きさは、同じであり、
前記定着ニップ部が前記加圧状態の場合と前記圧力解除状態の場合のどちらの場合でも、前記定着ユニットを前記本体に装着すると、前記第１係合部と前記第２係合部が係合することを特徴とする画像形成装置。
【発明の詳細な説明】
【技術分野】
【０００１】
本発明は、記録材上に画像を形成する画像形成装置に関するものである。
【背景技術】
【０００２】
画像形成装置の定着部でのジャム処理性の向上、或いは部品の変形防止のため、定着ニップ部に掛かる圧力を自動で解除する圧力解除機構を設けた画像形成装置がある。画像形成装置本体に対して定着ユニットが取外し可能になっている場合、圧力解除機構は定着ユニットに設けられ、圧力解除機構を駆動する動力源は画像形成装置本体に設けられている。
【０００３】
ところで、定着ユニットを画像形成装置本体から取外した後に、例えば定着ユニットに衝撃が加わり定着ユニットの圧力解除機構の圧力解除カムが動いてしまう場合が考えられる。すると、圧力解除カムと、装置本体に設けられ圧力解除カムに動力を伝達するカップリングとの位相が合わず、定着ユニットを装置本体に装着できなくなってしまう。
【０００４】
その対策として、特許文献１には、圧力解除カムと装置本体のカップリングとの位相が合ってなくても、定着ユニットを画像形成装置へ装着する動作に連動してカムの位相をカップリングの位相に合わせる構成が記載されている。
【先行技術文献】
【特許文献】
【０００５】
【特許文献１】特許５５１１５９８号
【発明の概要】
【発明が解決しようとする課題】
【０００６】
しかしながら、この構成では、定着ユニットに装置本体のカップリングと接触してカムを移動させるための形状が必要となる。また、定着ユニットを装置本体に装着する動作でカムを移動させるため、定着ユニットの装着時に大きな力が必要となる。
【０００７】
本発明の目的は、定着ユニットが装置本体に対して着脱可能な構成において、定着ユニットの圧力解除カムの位相が、加圧状態と圧力解除状態のどちらであっても、定着ユニットを装置本体に容易に装着することが可能な画像形成装置を提供することである。
【課題を解決するための手段】
【０００８】
上述の課題を解決するための本発明は、未定着画像が形成された記録材を挟持搬送する定着ニップ部に圧力を掛ける圧力付与部と、前記圧力付与部に作用して前記定着ニップ部に掛る圧力を解除する圧力解除カムとを有し、画像形成装置の本体に対して着脱可能な定着ユニットと、前記定着ユニットの前記圧力解除カムと係合し、前記圧力解除カムに駆動力を伝達するカップリング部を有する画像形成装置の本体と、を有し、前記画像形成装置の本体に装着された状態の前記定着ユニットの前記圧力解除カムを前記カップリング部を介して回動させることにより、前記定着ニップ部を加圧状態と圧力解除状態に切換えられる画像形成装置において、前記加圧状態となる前記圧力解除カムの位相と前記圧力解除状態となる前記圧力解除カムの位相の差が１８０°に設定されており、前記定着ニップ部が前記加圧状態の場合と前記圧力解除状態の場合のどちらでも前記定着ユニットを前記画像形成装置の本体に装着できる構成となっていることを特徴とする。
また、本発明は、画像形成装置の本体と、定着ニップ部で記録材を挟持搬送しつつ記録材上の未定着画像を記録材に定着する定着ユニットであって、前記定着ニップ部に掛かる圧力を切換えるためのカムと、前記カムに駆動力を伝えるための第１係合部と、を有し、前記本体に対して着脱可能な定着ユニットと、前記定着ユニットが前記本体に装着されている状態で前記第１係合部と係合する、前記本体に設けられている第２係合部と、を有し、前記第１係合部と前記第２係合部を介して前記カムを回動させることにより、前記定着ニップ部を加圧状態と圧力解除状態に切換え可能である画像形成装置において、前記加圧状態となる前記カムの位相と前記圧力解除状態となる前記カムの位相の差が１８０°であり、前記定着ニップ部が前記加圧状態の場合と前記圧力解除状態の場合のどちらの場合でも、前記定着ユニットを前記本体に装着すると、前記第１係合部と前記第２係合部が係合することを特徴とする。
また、本発明は、画像形成装置の本体と、定着ニップ部で記録材を挟持搬送しつつ記録材上の未定着画像を記録材に定着する定着ユニットであって、前記定着ニップ部に掛かる圧力を切換えるためのカムと、前記カムに駆動力を伝えるための第１係合部と、を有し、前記本体に対して着脱可能な定着ユニットと、前記定着ユニットが前記本体に装着されている状態で前記第１係合部と係合する、前記本体に設けられている第２係合部と、を有し、前記第１係合部と前記第２係合部を介して前記カムを回動させることにより、前記定着ニップ部を加圧状態と圧力解除状態に切換え可能である画像形成装置において、前記第１係合部は前記第２係合部が入る二つの入口を有し、二つの入口の位相の差の大きさと、前記加圧状態となる前記カムの位相と前記圧力解除状態となる前記カムの位相の差の大きさは、同じであり、前記定着ニップ部が前記加圧状態の場合と前記圧力解除状態の場合のどちらの場合でも、前記定着ユニットを前記本体に装着すると、前記第１係合部と前記第２係合部が係合することを特徴とする。
【発明の効果】
【０００９】
本発明によれば、定着ユニットの圧力解除カムが加圧状態と圧力解除状態のどちらであっても、定着ユニットを装置本体に対して容易に装着することが可能な画像形成装置を提供できる。
【図面の簡単な説明】
【００１０】
【図１】画像形成装置の断面図
【図２】定着ユニット斜視図及び断面図
【図３】定着ユニットの着脱状態図
【図４】定着ユニット内の圧力解除部の斜視図
【図５】圧力解除カムの図
【図６】加圧状態及び圧力解除状態の圧力解除部の斜視図
【図７】圧解除カップリングの斜視図
【図８】圧力解除カムと圧解除カップリングの係合過程を示す図
【発明を実施するための形態】
【００１１】
図１は画像形成装置の断面図である。画像形成装置１は、タンデム型の４色フルカラーレーザプリンタである。図１に示すように、画像形成装置１には、４つのプロセスカートリッジＰＹ・ＰＭ・ＰＣ・ＰＫが着脱可能に設けられている。各カートリッジは、感光体ドラム１１ａ、１１ｂ、１１ｃ、１１ｄ、感光体ドラムの表面を一様に帯電するための帯電ローラ１２ａ、１２ｂ、１２ｃ、１２ｄを有する。更に、感光体ドラムに形成された静電潜像を現像する現像器１３ａ、１３ｂ、１３ｃ、１３ｄも有する。現像器は、現像ローラ１３ａ１、１３ｂ１、１３ｃ１、１３ｄ１及びトナーを有する。更に、感光体ドラムの表面に残ったトナーを取り除くクリーニング器１４ａ、１４ｂ、１４ｃ、１４ｄも有する。
【００１２】
カートリッジが配列されている領域の上方には、レーザスキャナユニット３が設けられている。このレーザスキャナユニット３は、入力される画像情報に応じてレーザー光を出力し、各感光体ドラムの表面を走査露光する。これにより、各感光体ドラムに静電潜像が形成される。
【００１３】
カートリッジが配置されている領域の下方には、駆動ローラ２２、ターンローラ２３、テンションローラ２４、中間転写ベルト２１を有するベルトユニット２１が設けられている。ベルト２１の内側には、ベルトを介して各感光体ドラム１１に対向させた４個の一次転写ローラ２５ａ、２５ｂ、２５ｃ、２５ｄが設けられている。駆動ローラ２２に対してベルト２１を介して対向するように、二次転写ローラ２６が設けられている。カートリッジ及びベルトユニットは、装置本体のドア２を開くことによって取り出せるようになっている。
【００１４】
ベルト２１の下方には、記録材としての紙などのシートＳを供給するシート供給部３０が設けられている。シート供給部３０は、画像形成前のシートＳを積載するシートカセット３１と、手差しのシートＳが搬送される搬送路３２とを備えている。また、シート供給部３０は、シートＳを供給する供給ローラ３３と、シートＳを１枚ずつ分離する分離ローラ３４と、シートＳを下流に向けて搬送する搬送ローラ３５とを備えている。３１ａはカセット３１を引き出すための把手、３２ａは搬送路３２を引き出すための把手である。
【００１５】
転写部でトナー画像が転写されたシートＳは定着ユニット４０に搬送される。定着ユニット４０によってトナー像が定着されたシートＳは排出ローラ４５とアイドラローラ４６を有する排出ローラ対４４で搬送され、トレイ４７に排出される。
【００１６】
次に、図２〜図８Ｂを参照して、定着ユニット４０について説明する。定着ユニット４０は画像形成装置１の本体から図１に示す矢印Ａ方向に取外し可能である。矢印Ｂ方向は定着ユニットの装着方向を示している。
【００１７】
図２は定着ユニット４０の斜視図及び断面図である。定着ユニット４０は、加熱ユニット４１と、加圧ローラ４２とを備えており、両者の間にシートＳを挟持搬送しつつトナー像を定着する定着ニップ部が形成される。
【００１８】
加熱ユニット４１は、定着ユニットの金属製のフレーム４９ａ、４９ｂに設けられた溝によって、加圧ローラ４２を圧縮する方向にスライド可能に保持されている。加熱ユニット４１は、給電コネクタ４１ｅを介して供給される電力によって発熱するヒータ４１ａと、加圧ローラ４２の回転に伴ってヒータ４１ａに対して摺動しつつ回転する筒状の加熱フィルム４１ｂと、を備えている。ヒータ４１ａはフィルム４１ｂの内面に接触している。ヒータ４１ａは、セラミック基板上に発熱抵抗体を形成した平板状のセラミックヒータである。また、加熱ユニット４１は、フィルム４１ｂの母線方向への寄り移動を規制するフランジ部を有するガイド部材４１ｃと、ヒータ４１ａを保持する耐熱樹脂製のヒータホルダ４１ｄとを備えている。４１ｅはヒータホルダの長手方向（フィルム母線と平行な方向）に亘ってヒータホルダを補強する金属製のステーである。加熱ユニット４１は、後述する圧力付与部によって加圧ローラ４２に向って付勢されており、この力によって定着ニップ部が形成されている。定着ニップ部は、フィルム４１ｂを介してヒータ４１ａと加圧ローラ４２によって形成されており、シートＳはフィルムと加圧ローラの間を通過する。
【００１９】
加圧ローラ４２は、芯金部４２ａと、シリコーンゴム層４２ｂと、フッ素樹脂表層４２ｃと、を有する。加圧ローラ４２は、フレーム４９ａ、４９ｂに対して軸受を介して回転自在に支持されている。加圧ローラ４２の芯金４２ａの端部にはギア４２ｄが設けられており、画像形成装置１の装置本体に搭載されているモータＭの動力で回転する。
【００２０】
定着ユニット４０は画像形成装置１の本体に対して着脱可能に構成されている。図３Ａ及び図３Ｂに示すように、定着ユニット４０は、定着ユニットを装置本体１の本体フレーム５に固定する固定ビスを外し、図３Ａの右側方向（図１のＡ方向に相当する）に平行移動させることで本体１から外すことができる（図３Ｂ）。定着ユニットを画像形成装置１の本体に装着する時は、本体フレーム５に装着した後、本体フレーム５にビスで固定する。
【００２１】
定着ユニット４０は、未定着画像が形成された記録材を挟持搬送する定着ニップ部に圧力を掛ける圧力付与部と、圧力付与部に作用して定着ニップ部に掛る圧力を解除する圧力解除カムとを有し、画像形成装置の本体に対して着脱可能となっている。また、画像形成装置の本体は、定着ユニットの圧力解除カムと係合し、圧力解除カムに駆動力を伝達するカップリング部を有する。そして、画像形成装置の本体に装着された状態の定着ユニットの圧力解除カムをカップリング部を介して回動させることにより、定着ニップ部を加圧状態と圧力解除状態に切換えられる。
【００２２】
次に、主に図２Ａを用いて圧力付与部５０について説明する。圧力付与部５０は、加圧ローラの軸方向に関して、定着ユニットの両端側にそれぞれ設けられている。圧力付与部５０は、加圧板５２と、加圧板５２を付勢する圧縮バネ５１を備えている。この圧縮バネ５１の力は、加圧板５２、ステー４１ｅ、ヒータホルダ４１ｄ、及びヒータ４１ａに伝わる。この圧縮バネ５１により加熱ユニット４１に加圧ローラ４２に向う方向の力が与えられて、定着ニップ部が形成されている。
【００２３】
次に、図２Ａ、図４〜図８Ｂを用いて、定着ユニットに設けられた圧力解除機構６０について説明する。図４に示すように、圧力解除機構６０は、回動軸６２と、軸６２の両端に１つずつ固定されている圧力解除カム６１Ａ及び６１Ｂと、を有する。カム６１Ａには、カム６１Ａ及び６１Ｂに動力を伝えるための画像形成装置本体に設けられたカップリング７０と係合する係合部６１ｂが設けられている。軸６２はフレーム４９ａ及び４９ｂに回転可能に嵌合している。図５Ａは図４に示すＶｘ方向からカム６１Ａを見た図、図５Ｂは図４に示すＶｙ方向からカム６１Ａを見た図である。カム６１Ａと軸６２とは、図５Ａに示す平行ピン６３によって回転方向に締結され一緒に回動する。カム６１Ａと同様に、カム６１Ｂも平行ピンによって軸６２に締結されている（図省略）。カム６１Ａ及び６１Ｂには、加圧板５２を押し上げるためのカム部６１ａが夫々設けられている。軸６２のラジアル方向における中心からの距離がＤｆであるカム部６１ａの最小外径部のエリアＦはほぼ点になっている。軸６２の中心からの距離がＤｅである最大外径部のエリアＥは、最小外径部Ｆに対して位相差１８０°の位置に設けられている。エリアＥの中央は、点Ｆに対してちょうど１８０°の位相差の位置になっている。エリアＦは、定着ニップ部を加圧状態にする時に使用されるエリアであり、エリアＥは、定着ニップ部を圧力解除状態にする時に使用されるエリアである。即ち、加圧状態となる圧力解除カムの位相と圧力解除状態となる圧力解除カムの位相の差は１８０°に設定されている。なお、軸６２の両端に設けられた二つのカム６１Ａ及び６１Ｂの夫々のカム部６１ａのプロファイルは同じであり、位相も同位相となるように軸６２に固定してある。
【００２４】
一方、画像形成装置の本体１には、定着ユニット４０のカム６１Ａに係合して駆動を伝達するカップリング７０が備えられている（図７参照）。カップリング７０は画像形成装置の本体１に設けられたモータＭから駆動を伝達されて回動する。モータＭは、定着処理時は加圧ローラ４２がシートＳを搬送するように正回転し、カム６１Ａに駆動を伝達する時は逆回転する。モータＭが逆回転する場合、加圧ローラ４２が回転しないように加圧ローラへの動力伝達経路中にワンウェイクラッチが設けられている。カップリング７０は、カム６１Ａの係合部６１ｂと係合するカップリング部７０ａ、モータＭからの駆動力を受けて回転するギア部７０ｂと、を有する。カップリング７０が回動することでカム６１Ａに動力が伝わり、カム６１Ａと６１Ｂが共に回動する。
【００２５】
画像形成装置１がプリント時やスタンバイ状態の時は、カム部６１ａのエリアＦが加圧板５２と対向している。この時、カム部６１ａと加圧板５２の間には隙間があり、加熱ユニット４１がバネ５１の力によって加圧ローラ４２に対して加圧する。これにより、フィルム４１ｂと加圧ローラ４２が加圧状態となり、両者の間に定着処理可能な定着ニップ部が形成される（図６Ａ）。
【００２６】
画像形成装置１に紙詰まりが発生したり、電源ＯＦＦ状態になると、カム６１Ａ及び６１Ｂはカップリング７０を介して駆動されて回動し、カム部６１ａのエリアＥが加圧板５２に近づいていく。やがて加圧板５２を加圧方向とは反対側に押して加圧板５２を退避させる。すると加圧板５２から加熱ユニット４１への圧力付与が小さくなり（又は無くなり）、加熱ユニット４１が加圧ローラ４２を押圧しなくなり、定着ニップ部の圧力を解除する加圧解除状態となる（図６Ｂ）。
【００２７】
次に、カム６１Ａ及び６１Ｂの位相の制御について説明する。定着ユニット４０は、既に述べたように、加圧状態と加圧解除状態を設定できる。カム６１Ａ及び６１Ｂの停止位置は、圧解除センサ８０によって検知される。モータＭは、装置１のステータス（プリント状態、ジャム状態、電源ＯＦＦ状態等）及びセンサ８０の出力に基づいて制御される。圧解除センサ８０は、カップリング７０が配置されているカム６１Ａとは反対側のカム６１Ｂの近傍に配置されている。即ち、定着ユニットには、圧力解除カムの位相を検知するための被検知部が設けられており、圧力解除カムが設けられた軸の、後述する係合部６１ｂが設けられた端部とは反対側の端部に被検知部が設けられている。カムが回転すると、カム６１Ｂに設けられたセンサ作用部（被検知部）６１ｃが圧解除センサ８０のレバー部８０ａに作用する。センサ作用部６１ｃはカム形状となっており、回転中心に対して周方向で径が変化してレバー８０ａの押込み量を変化させる。
【００２８】
センサ作用部６１ｃが圧解除センサ８０のレバー８０ａを押し込むと、レバー８０ａの回転中心を中心にレバー８０ａが回動する。レバー８０ａが回動するとセンサがＯＮ状態となる。また、圧解除センサ８０のレバー８０ａの押込み量が少なくなると、センサがＯＦＦ状態に切り替わる。制御部は、圧解除センサ８０のＯＮ／ＯＦＦが切り替わったタイミングからカムの回動時間を検知し、カム６１Ａ及び６１Ｂが加圧ポジション／圧解除ポジションに移動するまでの所定時間後にモータＭに停止命令を出す。カム６１の位相の制御は以上のように実行される。
【００２９】
画像形成装置１は、カム６１Ａ及び６１Ｂが加圧ポジションか圧解除ポジションとなる時だけモータＭを停止させる。従って、カップリング７０も、加圧ポジションか圧解除ポジション以外の位相で停止することはない。
【００３０】
次に、カム６１Ａとカップリング７０の詳細な形状について図５Ａ〜図８Ｂを用いて説明する。軸６２の方向において、カム６１Ａの外側端面には係合部６１ｂが形成されている。係合部６１ｂは、カム６１Ａの回転中心に対して点対称な形状である２つの突起部６１ｄと６１ｅから成る。定着ユニット４０を画像形成装置の本体に装着すると、２つの突起部６１ｄと６１ｅに挟まれた空間である溝部６１ｆに、画像形成装置の本体１に設けられたカップリング７０の係合部７０ａが係合する。溝部６１ｆに繋がる、カップリングの係合部７０ａが入る入口は二つ（ＢＡとＢＢ）設けられている。二つ入口ＢＡとＢＢは１８０°の位相差になっている。図６Ａのように、定着ニップ部が加圧状態の時は入口ＢＡで係合部７０ａを迎え入れられるようになっており、図６Ｂのように、定着ニップ部が圧力解除状態の時は入口ＢＢで係合部７０ａを迎え入れられるようになっている。このように、定着ニップ部が加圧状態の時も圧力解除状態の時も、係合部７０ａを迎え入れられるようになっている。即ち、定着ニップ部が加圧状態の場合と圧力解除状態の場合のどちらでも定着ユニットを画像形成装置の本体に装着できる構成となっている。
【００３１】
図７に示すように、カップリング７０には突起形状の係合部７０ａが設けられている。係合部７０ａは略直方体の突起形状であり、カップリング７０の回転中心に点対称な形状である。定着ユニット４０が画像形成装置１の本体に装着される（図８Ａから図８Ｂ）と、カップリングの係合部７０ａにカム６１Ａの溝部６１ｆが係合する。溝部６１ｆの入口ＢＡ及びＢＢには、係合部７０ａを誘い込むための斜面形状６１ｇが設けられている。カム６１Ａとカップリング７０が係合してカップリング７０が回転する（図８Ｂの矢印Ｒ方向）と、係合部７０ａが係合部６１ｂの二か所６１ｂｃを押すことで動力が伝わり、二つのカム６１Ａ及び６１Ｂが回転する。
【００３２】
なお、定着ユニット４０が加圧状態でも圧力解除状態でも、カムの溝部６１ｆは定着ユニット４０の着脱方向に対して略平行であり、開口している。また、画像形成装置１の本体に設けられたカップリング７０の位相も、必ず加圧状態か圧力解除状態であり、係合部７０ａは定着ユニット４０の着脱方向に対して略平行である。そのため、装置本体１から外された定着ユニット４０の圧力解除カムの位相が加圧状態でも圧力解除状態でも、カップリング７０に係合可能である。
【００３３】
定着ユニットを本体から取り出した状態で、加圧状態や圧力解除状態の中で位相がズレても、圧力解除カムの溝部６１ｆの入口部に斜面が設けられているため、起こりえる位相ズレであれば、カップリング７０を誘い込み、係合可能である。
【符号の説明】
【００３４】
４０  定着ユニット
５１  加圧バネ
５２  加圧板
６０  圧解除機構
６１  圧力解除カム
７０  カップリング
【図１】
0006501484.tif 000002
【図２】
0006501484.tif 000003
【図３】
0006501484.tif 000004
【図４】
0006501484.tif 000005
【図５】
0006501484.tif 000006
【図６】
0006501484.tif 000007
【図７】
0006501484.tif 000008
【図８】
0006501484.tif 000009